(57)【要約】【課題】床面と壁面との連結部に配され、壁面より内側に凹状に引っ込めて形成される入巾木において、施工性の向上を図るとともに、意匠性の高い入巾木を提供し、該入巾木を適用することで、低コストでインテリア性が高く高級感のある室内空間を提供できるようにする。【解決手段】床面と壁面との連結部に配され、壁面より内側に凹状に引っ込めて形成される入巾木１を、縦面部分から水平方向に突出して壁下地２ａを保持する壁保持部１ａと、該壁保持部より下位置の縦面部分にて形成される凹部１ｂと、該凹部１ｂの下方の縦面部分から水平方向に突出された床差込部１ｃと、から構成した。【選択図】図２
2005290746.tif 000002
【特許請求の範囲】
【請求項１】
床面と壁面との連結部に配され、壁面より内側に凹状に引っ込めて形成される入巾木を、
縦面部分から水平方向に突出して壁下地を保持する壁保持部と、
該壁保持部より下位置の縦面部分にて形成される凹部と、
前記凹部の下方の縦面部分から水平方向に突出された床差込部と、
から構成したことを特徴とする入巾木。
【請求項２】
前記入巾木は、
アルミ金属製で構成されるとともに、
発色性塗装、又は、アルマイト処理仕上げが施されている
ことを特徴とする請求項１に記載の入巾木。
【請求項３】
前記壁保持部と前記凹部との連結部、及び、前記床差込部と前記凹部との連結部はＲ形状に形成されていることを特徴とする請求項１又は２に記載の入巾木。
【請求項４】
請求項１、２、又は３に記載の入巾木を床面と壁面との連結部に適用するとともに、壁面と天井部との連結部に底目地仕上げを適用したことを特徴とする室内空間。
【発明の詳細な説明】
【技術分野】
【０００１】
本発明は、床面と壁面との間に配される巾木に関し、壁面より内側に引っ込めて形成される入巾木に関するものである。
【背景技術】
【０００２】
一般に、室内の床面と壁面との間には見切りとして巾木が配され、掃除機の衝撃や汚れ等から壁面を守るようにしている。また、巾木は床面と壁面とをなじみよく納めるために使用されるものである。
このような巾木において、一般的な形状のものとして出巾木が知られており、壁面から外側に突出した形状に形成されて、その高さや材質、表面に掘り込みを設けることで多様なデザインのものが製造されている。
また、巾木には上述の出巾木の他に、壁面より内側に引っ込めて形成された入巾木が知られており、この入巾木によればモダンスタイルと呼ばれるインテリアスタイルを表現できるようにしている。
この入巾木に関しては、その取り付けを容易として、収縮がおこっても外観を損ねないようにした入巾木が公開されている（特許文献１参照）。
【０００３】
【特許文献１】実開平５−２４７８５号公報
【発明の開示】
【発明が解決しようとする課題】
【０００４】
しかしながら、特許文献１に記載されるような従来の入巾木の構成においては、壁面の下部を受けることができるように、保持部分を備えているが、床面との連結に配慮されたものではない。
また、モダンスタイルと呼ばれるインテリアスタイルを表現するためには、意匠性が高く、かつ、シンプルなデザインに仕上げられることが必要であった。
このような問題点を解決するとともに、意匠性の高い入巾木を提供するために、本発明においては、施工性の向上を図るとともに意匠性の向上を図るものであり、該入巾木を適用することで、低コストでインテリア性が高く高級感のある室内空間を提供できるようにするものである。
【課題を解決するための手段】
【０００５】
本発明の解決しようとする課題は以上の如くであり、次にこの課題を解決するための手段を説明する。
【０００６】
即ち、請求項１においては、床面と壁面との連結部に配され、壁面より内側に凹状に引っ込めて形成される入巾木を、縦面部分から水平方向に突出して壁下地を保持する壁保持部と、該壁保持部より下位置の縦面部分にて形成される凹部と、前記凹部の下方の縦面部分から水平方向に突出された床差込部と、から構成したものである。
【０００７】
請求項２においては、前記入巾木は、アルミ金属製で構成されるとともに、発色性塗装、又は、アルマイト処理仕上げが施されているものである。
【０００８】
請求項３においては、前記壁保持部と前記凹部との連結部、及び、前記床差込部と前記凹部との連結部はＲ形状に形成されているものである。
【０００９】
請求項４においては、請求項１、２、又は３に記載の入巾木を床面と壁面との連結部に適用するとともに、壁面と天井部との連結部に底目地仕上げを適用したものである。
【発明の効果】
【００１０】
本発明の効果として、以下に示すような効果を奏する。
【００１１】
請求項１においては、入巾木を配置する際の施工効率を向上できるとともに、施工後の収まりがよく、がたつきを防止することができる。
【００１２】
請求項２においては、アルミの素材感をよりよく表現して、意匠性を高めることができる。
【００１３】
請求項３においては、入巾木の意匠性を向上できるとともに、塵埃を溜まりにくくすることができる。
【００１４】
請求項４においては、排他性や無性格性を表現できるモダンスタイルの室内空間を低コストで提供することができる。また、コストをかけずに高級感のある室内空間を提供することができる。
【発明を実施するための最良の形態】
【００１５】
次に、発明の実施の形態を説明する。
図１は本発明の一実施形態に係る入巾木の構成を示す斜視図、図２は同じく側面断面図、図３は天井底目地構造を示す斜視図、図４は同じく側面断面図である。
【００１６】
まず、本発明に係る入巾木１の構成を説明する。
図１に示すように入巾木１は床面と壁面との連結部に配置され、壁面に対して内側に凹状に引っ込めた形状に形成されている。
該入巾木１は、その上部構造により壁２を支持するとともに、その下部構造により床板３を挿し込んで配置できるようにしている。
【００１７】
前記入巾木１のより具体的な構造を図２により説明すると、入巾木１は床面に対して垂直方向に立設された縦面部分１ｄと、該縦面部分１ｄから水平方向に突出した壁保持部１ａ及び床差込部１ｃと、から構成されている。前記壁保持部１ａと、前記床差込部１ｃとに挟まれた位置における縦面部分１ｄに、凹状に引っ込められた凹部１ｂが形成されており、該凹部１ｂにより入巾木１の意匠面が形成されている。
前記凹部１ｂの上下方向の幅（即ち、壁保持部１ａと床差込部１ｃとの距離）は、本実施例においては５ｃｍ程度に構成されているが、長さは限定するものではない。
【００１８】
前記壁保持部１ａは縦面部分１ｄから室内側に壁下地２ａの厚さと略同じ長さで水平方向に突出されており、該壁保持部１ａの上面と壁保持部１ａより上位置の縦面部分１ｄにより石膏ボード等で構成される壁下地２ａを保持できるようにしている。
また、前記壁保持部１ａの先端部側は上方に屈曲されて屈曲部１ｅが形成されており、該屈曲部１ｅに壁下地２ａを係止して室内側に端部が出ないように、つまり、壁下地２ａの下端が壁保持部１ａの上面に納まるように配置して、めくれ等を防止している。該屈曲部１ｅの上面には壁下地２ａの表面に貼設される壁装材２ｂが配されるものである。
なお、本実施例における壁保持部１ａの幅は１４ｃｍ程度に構成されているものであるが、壁下地２ａの厚みに合わせて変更することも可能である。
【００１９】
前記床差込部１ｃは前記壁保持部１ａの下方であって、縦面部分１ｄから室内側に水平方向に突出されており、該床差込部１ｃの下面に床板３を挿し込んで、床板３の端部を床差込部１ｃより下位置の縦面部分１ｄに当接させて、配置できるようにしている。
【００２０】
また、縦面部分１ｄと壁保持部１ａとの連結部、及び、縦面部分１ｄと床差込部１ｃとの連結部の意匠面側は共にＲ状に形成されており、つまり、室内側の縦面部分１ｄと壁保持部１ａとの交差部、及び、縦面部分１ｄと床差込部１ｃとの交差部は曲面に形成して、意匠性の向上を図っているものである。
【００２１】
このような入巾木１の構成において、施工の際には入巾木１の壁保持部１ａの上面に壁下地２ａを嵌め込むとともに、床差込部１ｃの下面に沿わせて床板の端部を嵌め込むのである。そして、縦面部分１ｄに壁下地２ａ及び床板３を押し込んで当接させることで、入巾木１のがたつきが抑えられるのである。
【００２２】
以上のように、本発明の入巾木１においては壁保持部１ａの構造にて壁２の下端部を受けることができ、床差込部１ｃにて床面を挿し込むことができるようにしているので、入巾木１を配置する際の施工効率を向上することができる。
【００２３】
また、前記入巾木１の材質はアルミ金属製で形成され、発色性塗装もしくはアルマイト処理にて仕上げ処理されており、アルミの素材感をよりよく表現できるように考慮しているものである。但し、材質はアルミに限定するものではなく、ステンレス等の金属等で構成することも可能である。
このように、入巾木１を仕上げ処理することで、シンプルモダンのスタイルとして高級感のある入巾木を低コストで提供することができる。
【００２４】
続いて、上述の入巾木１を床面と壁面との連結部に配設するとともに、壁面と天井ボードとの連結部に底目地仕上げを適用した室内空間について説明する。
図３に示すように、床面と壁面との連結部に入巾木を配置するとともに、壁２と天井ボード４との連結部には底目地仕上げを適用している。
前記底目地仕上げは壁面に対して天井部が凹状にへこんで構成されており、コストをかけずにシンプルモダンのスタイルとして、室内空間の高級感を高めることができるようにしている。
【００２５】
前記天井底目地仕上げは、例えば、図４に示すように、天井ボード４と壁２との間に配置される天井用底目地連結具６にて構成される。
天井用底目地連結具６は天井ボード４の端部を保持する断面視「コ」字状の保持部６ａと、天井面に対して凹状に窪んだ天井底目地部５を形成する凹部６ｂとから構成されているものである。
また、前記天井用底目地連結具６は図示しない野縁等に固定されて天井部に対して固定されるとともに、壁２に対して固定されているものである。
【００２６】
このように、上述の入巾木１と天井底目地構造とを併用することで、低コストで高級感の高い室内空間を提供することができるのである。また、シンプルモダンの室内空間を実現することができるのである。
【図面の簡単な説明】
【００２７】
【図１】本発明の一実施形態に係る入巾木の構成を示す斜視図。
【図２】同じく側面断面図。
【図３】天井底目地構造を示す斜視図。
【図４】同じく側面断面図。
【符号の説明】
【００２８】
１    入巾木
１ａ  壁保持部
１ｂ  凹部
１ｃ  床差込部
１ｄ  縦面部分
１ｅ  屈曲部
２    壁
２ａ  壁下地
２ｂ  壁装材
３    床板
４    天井ボード
５    天井底目地部
６    天井用底目地連結具
【図１】
2005290746.tif 000003
【図２】
2005290746.tif 000004
【図３】
2005290746.tif 000005
【図４】
2005290746.tif 000006